(57)【要約】  本発明の実施形態は、無線基地局及びその信号受信方法を開示する。無線基地局は基地局屋内装置と基地局屋外装置とを含む。基地局屋外装置はアダプタと地上サービスアンテナと衛星アンテナを含む。地上サービスアンテナはマイクロ波伝送アンテナ又は無線アクセスアンテナである。基地局屋内装置は、衛星アンテナで受信した衛星無線周波数信号にデコード処理を実行して衛星サービス信号を取得するよう構成された衛星信号処理モジュールを含む。衛星アンテナと地上サービスアンテナはアダプタに接続される。アダプタは衛星アンテナで受信した信号と地上サービスアンテナで受信された信号とを結合し、結合した信号を第１のデータ線を介して基地局屋内装置に転送するように構成される。本発明の実施形態が提供する無線基地局を使用すると、基地局屋外装置と基地局屋内装置の間のフィーダ配線が単純化され製造コストが低減される。
2013501439.tif 000002
【特許請求の範囲】
【請求項１】
基地局屋内装置と、基地局屋外装置と
を備え、
前記基地局屋外装置は、アダプタと、地上サービスアンテナと、衛星アンテナとを備え、前記地上サービスアンテナは、マイクロ波伝送アンテナ、又は無線アクセスアンテナを備え、
前記基地局屋内装置は、前記衛星アンテナによって受信された衛星無線周波数信号に対してデコード処理を実行することによって、衛星サービス信号を取得するように構成された、衛星信号処理モジュールを備え、
前記衛星アンテナと前記地上サービスアンテナとは前記アダプタに接続され、前記アダプタは、前記衛星アンテナによって受信された信号と前記地上サービスアンテナによって受信された信号とを結合し、結合された信号を、第１のデータ線を介して前記基地局屋内装置に転送するように構成される、
無線基地局。
【請求項２】
前記地上サービスアンテナが無線アクセスアンテナである場合、前記衛星信号処理モジュールは、前記基地局屋内装置の無線周波数ユニット（ＲＲＵ）内に設けられる、
請求項１に記載の無線基地局。
【請求項３】
前記地上サービスアンテナがマイクロ波伝送アンテナである場合、前記衛星信号処理モジュールは、前記基地局屋内装置のマイクロ波屋内ユニット（ＩＤＵ）内に設けられる、
請求項１に記載の基地局。
【請求項４】
前記衛星アンテナによって受信される前記衛星無線周波数信号は、ガリレオ衛星、グローバルポジショニングシステム（ＧＰＳ）衛星、北斗（ＢｅｉＤｏｕ）衛星、及びグローバルナビゲーション衛星システム（ＧＬＯＮＡＳＳ）衛星のうちの１つ以上の衛星からのものであり、
前記衛星信号処理モジュールによるデコード処理を介して取得される、前記衛星サービス信号は、クロック信号、及び／又は、位置信号を含む、
請求項１〜３のいずれか一項に記載の無線基地局。
【請求項５】
前記第１のデータ線を介して前記結合された信号を受信した後、前記基地局屋内装置は、前記結合された信号を分離し、分離することによって取得された衛星無線周波数信号と地上サービスアンテナ信号とを、対応する処理回路を介して処理する、
請求項１に記載の無線基地局。
【請求項６】
前記地上サービスアンテナと、前記衛星アンテナとは、前記第１のデータ線を介して避雷回路に接続される、
請求項１に記載の無線基地局。
【請求項７】
基地局屋内装置と、基地局屋外装置と
を備え、
前記基地局屋外装置は、地上サービスアンテナと、衛星アンテナと、前記衛星アンテナによって受信された衛星無線周波数信号に対してデコード処理を実行することによって衛星サービス信号を取得するように構成された衛星信号処理モジュールと、前記地上サービスアンテナによって受信された変調信号を復調するように構成された第１の地上サービス処理モジュールとを備え、前記地上サービスアンテナは、マイクロ波伝送アンテナ、又は無線アクセスアンテナであり、
前記衛星サービス信号は、第２のデータ線を介して前記基地局屋内装置に転送され、及び、前記地上サービスアンテナによって受信され、かつ、前記第１の地上サービス処理モジュールによって復調された前記変調信号は、前記第２のデータ線を介して前記基地局屋内装置に転送される、
無線基地局。
【請求項８】
前記地上サービスアンテナが無線アクセスアンテナである場合、前記第１の地上サービス処理モジュールは、無線周波数ユニット（ＲＲＵ）であり、前記衛星信号処理モジュールは前記ＲＲＵ内に設けられる、
請求項７に記載の無線基地局。
【請求項９】
前記地上サービスアンテナがマイクロ波伝送アンテナである場合、前記第１の地上サービス処理モジュールはマイクロ波屋外統合装置であり、前記衛星信号処理モジュールは前記マイクロ波屋外統合装置内に設けられる、
請求項７に記載の無線基地局。
【請求項１０】
前記衛星アンテナは、前記第１の地上サービス処理モジュールの避雷回路に接続される、
請求項８又は９に記載の無線基地局。
【請求項１１】
基地局屋外装置内に配置されたアダプタによって、衛星アンテナによって受信された信号と地上サービスアンテナによって受信された信号とを結合し、前記地上サービスアンテナは、マイクロ波伝送アンテナ、又は無線アクセスアンテナを含み、前記マイクロ波伝送アンテナ又は前記無線アクセスアンテナは前記基地局屋外装置内に配置され、
前記アダプタによって結合された信号を、第１のデータ線を介して基地局屋内ユニットに転送し、
前記基地局屋内装置内に配置された衛星信号処理モジュールによって、衛星アンテナによって受信された衛星無線周波数信号に対してデコード処理を実行することによって、衛星サービス信号を取得すること
を含む、無線基地局の信号を受信する方法。
【請求項１２】
前記基地局屋内装置によって、前記第１のデータ線を介して前記結合された信号を受信した後、前記結合された信号を分離し、分離によって取得された前記衛星無線周波数信号と地上サービスアンテナ信号とを、前記衛星無線周波数信号と前記地上サービスアンテナ信号とを処理する回路を介して処理すること
を更に含む、請求項１１に記載の方法。
【請求項１３】
基地局屋外装置内に配置された衛星信号処理モジュールによって、前記基地局屋外装置内に配置された衛星アンテナによって受信された衛星無線周波数信号をデコードすることによって、衛星サービス信号を取得し、
前記衛星サービス信号を、第２のデータ線を介して基地局屋内装置に転送し、
前記基地局屋外装置内に配置された第１の地上サービス処理モジュールによって、前記基地局屋外装置内に配置された地上サービスアンテナによって受信された変調信号に対して復調処理を実行し、復調処理後の信号を、前記第２のデータ線を介して前記基地局屋内装置に転送すること
を含む、無線基地局の信号を受信する方法。
【発明の詳細な説明】
【技術分野】
【０００１】
本出願は、２０１０月５月３１日に中国専利局に出願された、「ＷＩＲＥＬＥＳＳ  ＢＡＳＥ  ＳＴＡＴＩＯＮ（無線基地局）」と題された、中国特許出願第２０１０１０１８８６２２．３号の優先権を主張するものであり、当該出願はその全体が参照によって本明細書中に援用される。
本発明は、通信技術の分野に関し、特に、無線基地局及び無線基地局の信号を受信する方法に関する。
【背景技術】
【０００２】
クロック精度の要求を満たすために、現在、衛星によって提供されるクロック信号を使用して基地局のクロックを制御するための衛星受信システムが、いくつかの無線基地局において設置されている。
【０００３】
図１を参照すると、既存の無線基地局は、一般に、２つの部分、すなわち、基地局屋内装置と、基地局屋外装置とを含む。基地局屋外装置は、衛星無線周波数信号を受信するための、衛星アンテナと、端末と相互作用するためにアクセス側無線周波数信号を送信及び受信するための無線アクセスアンテナとを主として含む。基地局屋内装置は、ベースバンドユニット（ベースバンドサービス信号処理、主制御、クロック及び伝送などの機能に主として関与し、ＢＢＵと略記される）と、無線周波数ユニット（送信される、及び受信される信号の、無線周波数処理に主として関与し、ＲＲＵと略記される）とを主として含む。衛星レシーバカードが、ＢＢＵ内に設けられ、又は、屋内に別個に配置され、そして、衛星アンテナによって受信された衛星無線周波数信号に対してデコード処理を実行してクロック信号を取得し、制御のために使用されるクロック信号をＢＢＵに提供するように主として構成される。
【発明の概要】
【発明が解決しようとする課題】
【０００４】
既存のアーキテクチャの無線基地局では、衛星アンテナによって受信された衛星信号を、復調処理のために衛星レシーバカードに送信するため、基地局屋外装置と基地局屋内装置との間に、（最大数メートルの長さを有する）フィーダが、衛星受信システム用に個別に敷設される必要がある。配線は比較的複雑であり、製造コストは比較的高い。
【課題を解決するための手段】
【０００５】
本発明の実施形態は、従来技術における複雑な配線と比較的高い製造コストの問題を解決するための、無線基地局及び無線基地局の信号を受信する方法を提供する。
【０００６】
上記の技術的問題を解決するために、本発明の実施形態は、以下の技術的解決法を提供する。
【０００７】
無線基地局は、
基地局屋内装置と、基地局屋外装置と
を含み、基地局屋外装置は、アダプタと、地上サービスアンテナと、衛星アンテナとを含み、地上サービスアンテナは、マイクロ波伝送アンテナ、又は無線アクセスアンテナであり、
基地局屋内装置は、衛星アンテナによって受信された衛星無線周波数信号に対してデコード処理を実行することによって衛星サービス信号を取得するように構成された、衛星信号処理モジュールを含み、
衛星アンテナと地上サービスアンテナとはアダプタに接続され、アダプタは、衛星アンテナによって受信された信号と地上サービスアンテナによって受信された信号とを結合し、結合された信号を第１のデータ線を介して基地局屋内装置に転送するように構成される。
【０００８】
無線基地局は、
基地局屋内装置と、基地局屋外装置と
を含み、基地局屋外装置は、地上サービスアンテナと、衛星アンテナと、衛星アンテナによって受信された衛星無線周波数信号に対してデコード処理を実行することによって、衛星サービス信号を取得するように構成された、衛星信号処理モジュールと、地上サービスアンテナによって受信された変調信号を復調し処理するように構成された、第１の地上サービス処理モジュールとを含み、地上サービスアンテナは、マイクロ波伝送アンテナ、又は無線アクセスアンテナであり、
衛星サービス信号は、第２のデータ線を介して基地局屋内装置に転送され、そして、地上サービスアンテナによって受信され、かつ、第１の地上サービス処理モジュールによって復調された変調信号は、第２のデータ線を介して基地局屋内装置に転送される。
【０００９】
無線基地局の信号を受信する方法は、
基地局屋外装置内に配置されたアダプタによって、衛星アンテナによって受信された信号と、地上サービスアンテナによって受信された信号とを結合し、ここで、地上サービスアンテナは、マイクロ波伝送アンテナ、又は無線アクセスアンテナを含み、マイクロ波伝送アンテナ、又は無線アクセスアンテナは、基地局屋外装置内に配置され、
アダプタによって、結合された信号を、第１のデータ線を介して基地局屋内ユニットに転送し、
基地局屋内装置内に配置された衛星信号処理モジュールによって、衛星アンテナによって受信された衛星無線周波数信号に対して、デコード処理を実行することによって、衛星サービス信号を取得することを含む。
【００１０】
無線基地局の信号を受信する方法は、
基地局屋外装置内に配置された衛星信号処理モジュールによって、基地局屋外装置内に配置された衛星アンテナによって受信された衛星無線周波数信号をデコードすることによって、衛星サービス信号を取得し、
衛星サービス信号を、第２のデータ線を介して、基地局屋内装置に転送し、
基地局屋外装置内に配置された第１の地上サービス処理モジュールによって、基地局屋外装置内に配置された地上サービスアンテナによって受信された変調信号に対して、復調処理を実行し、復調処理の後の信号を、第２のデータ線を介して、基地局屋内装置に転送することを含む。
【発明の効果】
【００１１】
本発明の一実施形態による解決法では、衛星信号処理モジュールが基地局屋内装置内に設けられ、衛星アンテナと、他のアンテナのうちの少なくとも１つの信号が、基地局屋外装置から、１本のデータ線を介して基地局屋内装置に転送され、これにより、基地局屋外装置と基地局屋内装置との間のフィーダ配線が単純化され、同時に、２つの信号経路が一体化されるため、一体化の後のデータ線は、１つの避雷モジュールを使用してもよい、ということが上記からわかる。２つの信号経路が、それぞれ、１つの避雷モジュールを使用する解決法と比較して避雷モジュールの数が減らされることが可能であり、製造コストが低減される。
【００１２】
本発明の一実施形態による別の解決法では、衛星信号処理モジュールが基地局屋外装置内に設けられ、衛星アンテナと、他のアンテナのうちの少なくとも１つの処理後の信号が、基地局屋外装置から、１本のデータ線を介して基地局屋内装置に転送され、これにより、基地局屋外装置と基地局屋内装置との間のフィーダ配線が単純化され、同時に、２つの信号経路が一体化されるため、一体化の後のデータ線は１つの避雷モジュールを使用してもよい。２つの信号経路がそれぞれ１つの避雷モジュールを使用する解決法と比較して、避雷モジュールの数が減らされることが可能であり、製造コストが低減される。
【００１３】
本発明の実施形態による、及び従来技術における技術的解決法をより明確に例示するために、実施形態、及び従来技術を説明するために必要とされる添付の図面について、以下に簡単に述べる。明らかに、以下の説明における添付の図面は、本発明のいくつかの実施形態にすぎず、当業者は、創造的な活動なしに、添付の図面から、他の図面を更に取得することが可能である。
【図面の簡単な説明】
【００１４】
【図１】従来技術における無線基地局の概略図である。
【図２】本発明の第１の実施形態による無線基地局の概略図である。
【図３−ａ】本発明の第２の実施形態による無線基地局の概略図である。
【図３−ｂ】本発明の第２の実施形態による、無線基地局の信号の流れの概略図である。
【図４−ａ】本発明の第３の実施形態による無線基地局の概略図である。
【図４−ｂ】本発明の第３の実施形態による、無線基地局の信号の流れの概略図である。
【図５−ａ】本発明の第４の実施形態による無線基地局の概略図である。
【図５−ｂ】本発明の第４の実施形態による、別の無線基地局の概略図である。
【図５−ｃ】本発明の第４の実施形態による、別の無線基地局の概略図である。
【図６−ａ】本発明の第５の実施形態による無線基地局の概略図である。
【図６−ｂ】本発明の第５の実施形態による、別の無線基地局の概略図である。
【図６−ｃ】本発明の第５の実施形態による、無線基地局の信号の流れの概略図である。
【図７−ａ】本発明の第６の実施形態による無線基地局の概略図である。
【図７−ｂ】本発明の第６の実施形態による、無線基地局の信号の流れの概略図である。
【発明を実施するための形態】
【００１５】
本発明の実施形態は、無線基地局のフィーダ配線を単純化し、製造コストを減少させることが可能な、無線基地局を提供する。
【００１６】
それぞれの実施形態について、以下に詳細に説明する。
【００１７】
実施形態１
図２を参照すると、本発明の一実施形態は無線基地局を提供し、無線基地局２００は、基地局屋外装置２１０と、基地局屋内装置２２０とを含んでもよい。
【００１８】
基地局屋外装置２１０は、地上サービスアンテナ２１１と、衛星アンテナ２１２と、アダプタ２１３とを含んでもよい。
【００１９】
地上サービスアンテナ２１１は、マイクロ波伝送アンテナ、又は無線アクセスアンテナであってもよい。
【００２０】
基地局屋内装置２２０は、衛星アンテナ２１２によって受信された衛星無線周波数信号に対してデコード処理を実行することによって、衛星サービス信号を取得するように構成された、衛星信号処理モジュール１００を含んでもよい。
【００２１】
衛星アンテナ２１２によって受信された衛星無線周波数信号は、第１のデータ線２３０を介して基地局屋内装置２２０に転送され、地上サービスアンテナ２１１によって受信された変調信号は、第１のデータ線２３０を介して基地局屋内装置２２０に転送される。
【００２２】
一つの適用シナリオでは、衛星アンテナ２１２及び地上サービスアンテナ２１１は、アダプタ２１３に接続されてもよく、アダプタ２１３は、第１のデータ線２３０を介して基地局屋内装置２２０に接続される。アダプタ１２０は、衛星アンテナ２１２によって受信された衛星無線周波数信号と、地上サービスアンテナ２１１によって受信された変調信号とを、１つの信号経路内に結合し（アダプタは、信号に対して、必要なインピーダンスマッチング処理を実行してもよく）、結合された信号を、第１のデータ線２３０を介して基地局屋内装置２２０に転送してもよく、従って、２つのアンテナからの信号は、基地局屋外装置２１０から、１本のデータ線を介して基地局屋内装置２２０に転送され、基地局屋外装置と基地局屋内装置との間のフィーダ配線が単純化され得る。
【００２３】
第１のデータ線２３０は、フィーダ、又は別のタイプの信号転送線であってもよい。
【００２４】
結合された信号を受信した後、基地局屋内装置２２０は、信号を分離し（ｄｅｃｏｕｐｌｅｓ）、衛星アンテナによって受信された信号と、地上サービスアンテナによって受信された信号とを、対応する処理回路を介して処理する（例えば、衛星アンテナによって受信された信号を、衛星信号処理ユニットを介して処理し、地上サービスアンテナによって受信された信号を、マイクロ波又は無線処理回路を介して処理する）。
【００２５】
２つのアンテナの信号は、基地局屋外装置２１０から、１本のデータ線を介して基地局屋内装置２２０に転送されるため、データ線は１つの避雷回路（又は、避雷モジュールと呼ばれる）に接続され、従って、避雷処理が１つの避雷回路を共用することによって、２つのアンテナに対して適用されることが可能であり、これにより、避雷回路の数が従来技術と比較して減少する、ということが理解されよう。
【００２６】
一つの適用シナリオでは、地上サービスアンテナ２１１が無線アクセスアンテナである場合、衛星信号処理モジュール１００は基地局屋内装置２２０のＲＲＵ内に設けられてもよい。
【００２７】
ＢＢＵとＲＲＵとは、標準の共通公衆無線インタフェース（ＣＰＲＩ）、又はオープン基地局アーキテクチャイニシアチブ（ＯＢＳＡＩ）インタフェースを介して接続されてもよく、インタフェースの物理的キャリアは、光ファイバ又は導線である。
【００２８】
光ファイバを使用した有線伝送の他に、本発明の実施形態による無線基地局などの、ネットワーク側装置と基地局コントローラとの間のデータ伝送には、マイクロ波を使用した無線伝送が採用されてもよい。
【００２９】
マイクロ波伝送装置は、マイクロ波屋外ユニット（ＯＤＵと略記され、マイクロ波伝送アンテナによって受信されたマイクロ波無線周波数信号をマイクロ波中間周波数信号に変換することと、送信されるマイクロ波中間周波数信号をマイクロ波無線周波数信号に変換することとを含む、周波数変換処理を、送信される、及び受信された信号に対して実行するように主として構成される）と、マイクロ波屋内ユニット（ＩＤＵと略記され、受信されたマイクロ波中間周波数信号に対して、ベースバンド処理を実行して、マイクロ波サービス信号を取得することと、送信されるマイクロ波サービス信号に対して、ベースバンド処理を実行して、マイクロ波中間周波数信号を取得することを含む、ベースバンド処理を、送信され及び受信された信号に対して実行するように主として構成される）とを、又は、マイクロ波屋外統合装置（すなわち、マイクロ波伝送装置が基地局屋外装置内に全部配置される）を、含んでもよい。
【００３０】
一つの適用シナリオでは、地上サービスアンテナ２１１がマイクロ波伝送アンテナである場合、衛星信号処理モジュール１００は基地局屋内装置２２０のＩＤＵ内に設けられてもよい。
【００３１】
本発明の実施形態による衛星信号処理モジュール１００は、例えば、衛星レシーバカード、又は類似した機能を有する別の装置であってもよい。
【００３２】
一つの適用シナリオでは、衛星信号処理モジュール１００によって衛星無線周波数信号をデコードすることを介して取得された衛星サービス信号は、クロック信号及び／又は位置信号を含む。本発明の実施形態では、衛星サービス信号がクロック信号である状況が具体的に例示される。
【００３３】
衛星信号処理モジュール１００によるデコード処理を介してクロック信号が取得された場合、クロック信号は、基地局屋内装置２２０のＢＢＵに提供されてもよく、これにより、ＢＢＵはクロック信号を利用してクロック較正及び制御を実行してもよい。
【００３４】
本発明のこの実施形態では、衛星アンテナは、ガリレオ衛星、グローバルポジショニングシステム（ＧＰＳ）衛星、北斗（ＢｅｉＤｏｕ）衛星、及びグローバルナビゲーション衛星システム（ＧＬＯＮＡＳＳ）衛星などの、衛星からの衛星無線周波数信号を受信してもよい。
【００３５】
この実施形態では、衛星信号処理モジュールが基地局屋内装置内に設けられ、衛星アンテナと、他のアンテナのうちの少なくとも１つの信号が、基地局屋外装置から、１本のデータ線を介して基地局屋内装置に転送され、これにより、基地局屋外装置と基地局屋内装置との間のフィーダ配線が単純化され、同時に、避雷モジュールの数が減らされることも可能であり、製造コストが低減される、ということが上記からわかる。
【００３６】
実施形態２
この実施形態では、衛星信号処理モジュールが、基地局屋内装置のＩＤＵ内に設けられた状況を例として説明する。
【００３７】
図３−ａを参照すると、本発明の一実施形態は無線基地局を提供し、無線基地局３００は、基地局屋外装置３１０と基地局屋内装置３２０とを含んでもよい。
【００３８】
基地局屋外装置３１０は、衛星アンテナ３１１と、無線アクセスアンテナ３１２と、マイクロ波伝送アンテナ３１３と、ＯＤＵ３１４と、アダプタ３１５とを含んでもよい（アダプタ３１５は、ＯＤＵ３１４内に設けられてもよい）。基地局屋内装置３２０は、ＲＲＵ３２１と、ＢＢＵ３２２と、ＩＤＵ３２３と、衛星信号処理モジュール１００とを含んでもよい。衛星信号処理モジュール１００は、ＩＤＵ３２３内に設けられてもよい。
【００３９】
無線アクセスアンテナ３１２は、フィーダを介してＲＲＵ３２１に接続され、ＲＲＵ３２１とＢＢＵ３２２とは、ＣＰＲＩ、又はＯＢＳＡＩインタフェースを介して接続される。ＲＲＵ３２１は、無線アクセスアンテナ３１２によって受信されたアクセス側無線周波数信号に対して無線周波数処理を実行して、アクセス側ベースバンド信号を取得し、アクセス側ベースバンド信号を、ベースバンド処理のために、ＢＢＵ３２２に出力する。ＢＢＵ３２２は、また、送信されるアクセス側ベースバンド信号を、ＲＲＵ３２１に出力してもよく、ＲＲＵ３２１は、送信されるアクセス側ベースバンド信号に対して、無線周波数処理を実行して、アクセス側無線周波数信号取得し、アクセス側無線周波数信号を、無線アクセスアンテナ３１２を介して送信する。
【００４０】
衛星アンテナ３１１は、アダプタ３１５に接続される。マイクロ波伝送アンテナ３１３は、ＯＤＵ３１４を介して、アダプタ３１５に接続され、ＯＤＵ３１４は、マイクロ波伝送アンテナ３１３によって受信されたマイクロ波無線周波数信号に対して周波数変換処理を実行して、マイクロ波中間周波数信号を取得し、該マイクロ波中間周波数信号をアダプタ３１５に出力する。アダプタ３１５は、フィーダ３３０を介して、基地局屋内装置３２０内のＩＤＵ３２３に接続される。アダプタ３１５は、衛星無線周波数信号と、ＯＤＵ３１４からのマイクロ波中間周波数信号とを結合して、結合された信号を取得し（アダプタは、信号に対して、必要なインピーダンスマッチング処理を実行してもよく）、結合された信号を、フィーダ３３０を介して、ＩＤＵ３２３に転送する。
【００４１】
マイクロ波中間周波数信号、及び衛星無線周波数信号のパラメータは、以下のように例示される。
マイクロ波中間周波数信号  送信周波数（ＭＨｚ）  ３５０
受信周波数（ＭＨｚ）  １４０
インピーダンス（オーム）  ５０
衛星無線周波数信号  受信周波数（ＧＨｚ）  １．５／２．４
インピーダンス（オーム）  ５０
【００４２】
ＩＤＵ３２３は、結合された信号を、衛星無線周波数信号とマイクロ波中間周波数信号とに分離し、分離されたマイクロ波中間周波数信号に対して復調及びベースバンド処理を実行して、マイクロ波サービス信号を取得し、そして、分離された衛星無線周波数信号を、衛星信号処理モジュール１００に出力する。衛星信号処理モジュール１００は、受信された衛星無線周波数信号をデコードすることによって、衛星サービス信号（クロック信号を含んでもよい）を取得する。ＩＤＵ３２３は、衛星サービス信号と、マイクロ波サービス信号とに対して、対応する信号フォーマット変換（例えば、イーサネット（登録商標）フォーマット、独立同期デジタルハイアラーキ（Ｐｌｅｓｉｏｃｈｒｏｎｏｕｓ  Ｄｉｇｉｔａｌ  Ｈｉｅｒａｒｃｈｙ）（ＰＤＨ）フォーマット、又は同期デジタルハイアラーキ（Ｓｙｎｃｈｒｏｎｏｕｓ  Ｄｉｇｉｔａｌ  Ｈｉｅｒａｒｃｈｙ）（ＳＤＨ）フォーマット）を実行し、フォーマット変換の後のサービス信号を、処理のためにＢＢＵ３２２に出力する。
【００４３】
衛星信号処理モジュール１００により衛星無線周波数信号をデコードすることを介してクロック信号が取得された場合、ＩＤＵ３２３は、当該クロック信号を利用してマイクロ波サービス信号のクロックを較正してもよく、そして、ＢＢＵ３２２は、クロック較正の後のマイクロ波サービス信号からクロック信号を抽出し（ＩＤＵ３２３は、衛星信号処理モジュール１００によって、衛星無線周波数信号をデコードすることを介して取得されたクロック信号を利用して、マイクロ波サービス信号に対してクロック較正を実行するため、クロック較正の後のマイクロ波サービス信号から、ＢＢＵ３２２によって抽出されたクロック信号は、衛星信号処理モジュール１００によって、衛星無線周波数信号をデコードすることを介して取得されたクロック信号と同等であってもよい、ということが理解され得る）、クロック信号を利用してクロック較正及び制御を実行してもよい。
【００４４】
図３−ｂを参照すると、一つの適用シナリオでは、ＩＤＵ３２３は、マイクロ波中間周波数モジュール３２３１と、マイクロ波ＢＢＵ３２３２と、サービスインタフェースモジュール３２３３と、クロックモジュール３２３４とを含んでもよい。
【００４５】
例えば、衛星無線周波数信号はクロック信号を運び、基地局３００内での信号の流れの方向、及び各モジュールの動作モードは、以下の通りであってもよい。
【００４６】
衛星アンテナ３１１は衛星無線周波数信号を受信し、衛星無線周波数信号を、フィーダを介してアダプタ３１５に出力する。マイクロ波伝送アンテナ３１３はマイクロ波無線周波数信号を受信し、マイクロ波無線周波数信号を、フィーダを介してＯＤＵ３１４に出力し、ＯＤＵ３１４は、マイクロ波無線周波数信号に対して周波数変換処理を実行して、マイクロ波中間周波数信号を取得し、マイクロ波中間周波数信号をアダプタ３１５に出力する。アダプタ３１５は、衛星無線周波数信号とマイクロ波中間周波数信号とを結合し、衛星無線周波数信号とマイクロ波中間周波数信号との結合された信号を、基地局屋内装置３２０のＩＤＵ３２３に出力する。ＩＤＵ３２３のマイクロ波中間周波数モジュール３２３１は、衛星無線周波数信号とマイクロ波中間周波数信号との結合された信号を受信し、次に、結合された信号を、衛星無線周波数信号とマイクロ波中間周波数信号とに分離し、分離された衛星無線周波数信号を、衛星信号処理モジュール１００に出力する。衛星信号処理モジュール１００は、受信された衛星無線周波数信号をデコードしてクロック信号を取得し、当該クロック信号をクロックモジュール３２３４に提供する。クロックモジュール３２３４は、クロック信号を利用してクロックを較正し、ＩＤＵ３２３の他のモジュールに対してクロック制御を実行する。マイクロ波中間周波数モジュール３２３１は、分離されたマイクロ波中間周波数信号をマイクロ波ベースバンド信号に更に変換し、当該マイクロ波ベースバンド信号をマイクロ波ＢＢＵ３２３２に出力する。クロックモジュール３２３４のクロック制御の下で、マイクロ波ＢＢＵ３２３２は、マイクロ波ベースバンド信号に対してベースバンドサービス処理を実行して、対応するマイクロ波サービス信号を取得する。サービスインタフェースモジュール３２３３は、マイクロ波ＢＢＵ３２３２によって取得されたマイクロ波サービス信号に対して対応するフォーマット変換を実行し、フォーマット変換の後のマイクロ波サービス信号をＢＢＵ３２２に出力する。クロックモジュール３２３４は、衛星信号処理モジュール１００によって受信された衛星無線周波数信号をデコードすることを介して取得されたクロック信号を利用して、クロックを較正し、マイクロ波中間周波数モジュール３２３１と、マイクロ波ＢＢＵ３２３２と、サービスインタフェースモジュール３２３３とは、全て、クロックモジュール３２３４のクロック制御の下でマイクロ波信号を処理するため、ＢＢＵ３２２によって受信されたマイクロ波サービス信号のクロックは衛星のクロックと同期している、ということが理解され得る。ＢＢＵ３２２は、ＩＤＵ３２３からのマイクロ波サービス信号から、クロック信号（衛星信号処理モジュール１００によって、衛星無線周波数信号をデコードすることを介して取得されたクロック信号と同等である）を抽出し、当該クロック信号を利用してクロック較正及び制御を実行してもよい。
【００４７】
この実施形態では、衛星信号処理モジュールが基地局屋内装置のＩＤＵ内に設けられ、衛星アンテナ、及びマイクロ波伝送アンテナの信号が、基地局屋外装置から、１本のデータ線を介して基地局屋内装置に転送され、これにより、基地局屋外装置と基地局屋内装置との間のフィーダ配線が単純化され、同時に、避雷モジュールの数が減らされることも可能であり、製造コストが低減される、ということが上記からわかる。
【００４８】
実施形態３
この実施形態では、衛星信号処理モジュールが、基地局屋内装置のＲＲＵ内に設けられた状況を例として説明する。
【００４９】
図４−ａを参照すると、本発明の別の実施形態は無線基地局を提供し、無線基地局４００は、基地局屋外装置４１０と基地局屋内装置４２０とを含んでもよい。
【００５０】
基地局屋外装置４１０は、衛星無線周波数信号を受信するための衛星アンテナ４１１と、アクセス側無線周波数信号を受信するための無線アクセスアンテナ４１２とアダプタ４１３とを含んでもよい。
【００５１】
基地局屋内装置４２０は、ＲＲＵ４２１と、ＢＢＵ４２２と、衛星信号処理モジュール１００とを含んでもよい。衛星信号処理モジュール１００は、ＲＲＵ４２１内に設けられる。
【００５２】
衛星アンテナ４１１及び無線アクセスアンテナ４１２は、アダプタ４１３に接続され、アダプタ４１３は、フィーダ４３０を介して基地局屋内装置４２０のＲＲＵ４２１に接続される。アダプタ４１３は、衛星無線周波数信号とアクセス側無線周波数信号とを結合して、結合された信号を取得し（アダプタは、信号に対して、必要なインピーダンスマッチング処理を実行してもよく）、結合された信号を、フィーダ４３０を介してＲＲＵ４２１に転送する。
【００５３】
アクセス側無線周波数信号、及び衛星無線周波数信号のパラメータは、以下のように例示される。
アクセス側無線周波数信号  送信周波数（ＤＨｚ）  ０．７／０．９／１．８／２．１／．．．
受信周波数（ＭＨｚ）
インピーダンス（オーム）  ５０
衛星無線周波数信号  受信周波数（ＧＨｚ）  １．５／２．４
インピーダンス（オーム）  ５０
【００５４】
ＲＲＵ４２１は、衛星無線周波数信号とアクセス側無線周波数信号との結合された信号を受信し、結合された信号を、衛星無線周波数信号とアクセス側無線周波数信号とに分離し、分離されたアクセス側無線周波数信号に対して無線周波数処理を実行して、アクセス側ベースバンド信号を取得し、そして、分離された衛星無線周波数信号を衛星信号処理モジュール１００に出力する。衛星信号処理モジュール１００は、受信された衛星無線周波数信号をデコードすることによって、衛星サービス信号（クロック信号を含んでもよい）を取得する。ＲＲＵ４２１は、衛星サービス信号をアクセス側ベースバンド信号内に埋め込み、インタフェースフォーマット変換（例えば、ＣＰＲＩ、又はＯＢＳＡＩインタフェースフォーマット）を実行し、インタフェースフォーマット変換の後のアクセス側ベースバンド信号を、ＢＢＵ４２２に出力する。ＢＢＵ４２２は、アクセス側ベースバンド信号内に埋め込まれた衛星サービス信号を抽出し、アクセス側ベースバンド信号に対してベースバンド処理を実行する。
【００５５】
衛星信号処理モジュール１００によって、衛星無線周波数信号をデコードすることを介して、クロック信号が取得された場合、ＢＢＵ４２２は、アクセス側ベースバンド信号内に埋め込まれたクロック信号（衛星信号処理モジュール１００によって、衛星無線周波数信号をデコードすることを介して取得されたクロック信号と同等である）を抽出し、クロック信号を利用して、クロック較正及び制御を実行してもよい。
【００５６】
図４−ｂを参照すると、一つの適用シナリオでは、ＲＲＵ４２１は、無線周波数処理ユニット４２１１とインタフェースユニット４２１２とを含んでもよい。
【００５７】
例えば、衛星無線周波数信号はクロック信号を運び、基地局４００内での信号の流れの方向、及び各モジュールの動作モードは、以下の通りであってもよい。
【００５８】
衛星アンテナ４１１は、衛星無線周波数信号を受信し、衛星無線周波数信号を、フィーダを介してアダプタ４１３に出力し、そして、無線アクセスアンテナ４１２は、アクセス側無線周波数信号を受信し、アクセス側無線周波数信号をアダプタ４１３に出力する。アダプタ４１３は、衛星無線周波数信号とアクセス側無線周波数信号とを結合し、衛星無線周波数信号とアクセス側無線周波数信号との結合された信号を、基地局屋内装置４２０のＲＲＵ４２１に出力する。ＲＲＵ４２１の無線周波数処理ユニット４２１１は、衛星無線周波数信号とアクセス側無線周波数信号との結合された信号を受信し、結合された信号を、衛星無線周波数信号とアクセス側無線周波数信号とに分離し、分離されたアクセス側無線周波数信号に対してアクセス側ベースバンド信号への周波数変換を実行し、アクセス側ベースバンド信号をインタフェースユニット４２１２に出力し、そして、分離された衛星無線周波数信号を、衛星信号処理モジュール１００に出力する。衛星信号処理モジュール１００は、受信された衛星無線周波数信号をデコードしてクロック信号を取得し、クロック信号をインタフェースユニット４２１２に出力する。インタフェースユニット４２１２は、クロック信号をアクセス側ベースバンド信号内に埋め込み、クロック信号が埋め込まれたアクセス側ベースバンド信号をＢＢＵ４２２に出力する。ＢＢＵ４２２は、アクセス側ベースバンド信号内に埋め込まれたクロック信号を抽出し（インタフェースユニット４２１２は、衛星信号処理モジュール１００によって、受信された衛星無線周波数信号をデコードすることを介して取得されたクロック信号を、アクセス側ベースバンド信号内に埋め込むため、インタフェースユニット４２１２からのアクセス側ベースバンド信号から、ＢＢＵ４２２によって抽出されたクロック信号は、衛星信号処理モジュール１００によって、衛星無線周波数信号をデコードすることを介して取得されたクロック信号と同等であり）、クロック信号を利用してクロック較正及び制御を実行し、アクセス側ベースバンド信号に対してベースバンド処理を実行する。
【００５９】
この実施形態では、衛星信号処理モジュールが、基地局屋内装置のＲＲＵ内に設けられ、衛星アンテナによって受信された信号と、無線アクセスアンテナによって受信された信号とが、基地局屋外装置から、１本のデータ線を介して基地局屋内装置に転送され、これにより、基地局屋外装置と基地局屋内装置との間のフィーダ配線が単純化され、同時に、避雷モジュールの数が減らされることも可能であり、製造コストが低減される、ということが上記からわかる。
【００６０】
実施形態４
図５−ａを参照すると、本発明の別の実施形態は無線基地局を提供し、無線基地局５００は、基地局屋外装置５１０と基地局屋内装置５２０とを含んでもよい。
【００６１】
基地局屋外装置５１０は、地上サービスアンテナ５１２と、衛星アンテナ５１１と、衛星アンテナによって受信された衛星無線周波数信号に対してデコード処理を実行することによって衛星サービス信号を取得するように構成された、衛星信号処理モジュール１００と、地上サービスアンテナ５１２によって受信された変調信号を復調するように構成された、第１の地上サービス処理モジュール５１３とを含む。地上サービスアンテナ５１２は、マイクロ波伝送アンテナ、又は無線アクセスアンテナであってもよい。
【００６２】
衛星サービス信号は、第２のデータ線５３０を介して、基地局屋内装置５２０に転送され、そして、地上サービスアンテナ５１２によって受信された、かつ、第１の地上サービス処理モジュール５１３によって復調された変調信号は、第２のデータ線５３０を介して、基地局屋内装置５２０に転送される。
【００６３】
第２のデータ線５３０は、光ファイバ、ケーブル、又は別のタイプの信号転送線であってもよい。
【００６４】
一つの適用シナリオでは、衛星信号処理モジュール１００は、衛星アンテナによって受信された衛星無線周波数信号に対してデコード処理を実行することによって、衛星サービス信号を取得してもよく、そして、衛星サービス信号の衛星信号を第１の地上サービス処理モジュール５１３に出力する。第１の地上サービス処理モジュール５１３は、衛星サービス信号を、復調処理の後の、地上サービスアンテナ５１２によって受信された変調信号内に埋め込んで、結合された信号を取得し、結合された信号を、第２のデータ線５３０を介して基地局屋内装置５２０に転送するように、更に構成されてもよい。
【００６５】
図５−ｂを参照すると、一つの適用シナリオでは、衛星信号処理モジュール１００は、第１の地上サービス処理モジュール５１３内に設けられてもよい。
【００６６】
一つの適用シナリオでは、地上サービスアンテナ５１２が無線アクセスアンテナである場合、第１の地上サービス処理モジュール５１３はＲＲＵであってもよく、衛星信号処理モジュール１００はＲＲＵ内に設けられてもよい。
【００６７】
一つの適用シナリオでは、地上サービスアンテナ５１２がマイクロ波伝送アンテナである場合、第１の地上サービス処理モジュール５１３はマイクロ波屋外統合装置であり、衛星信号処理モジュール１００はマイクロ波屋外統合装置内に設けられてもよい。
【００６８】
図５−ｃを参照すると、一つの適用シナリオでは、衛星アンテナ５１１は、アダプタ５１４を介して、第１の地上サービス処理モジュール５１３の避雷回路（図示せず）に接続されてもよく、アダプタ５１４は、衛星アンテナ５１１によって受信された信号と地上サービスアンテナ５１２によって受信された信号とを結合し、結合された信号を第１の地上サービス処理モジュール５１３に転送する。この方法は、避雷回路の共用を実現してもよく、これにより、避雷回路の数が従来技術と比較して減少する。
【００６９】
一つの適用シナリオでは、衛星信号処理モジュール１００によって衛星無線周波数信号をデコードすることを介して取得された衛星サービス信号は、クロック信号及び／又は位置信号を含む。本発明のこの実施形態では、衛星サービス信号がクロック信号である状況が具体的に例示される。
【００７０】
衛星信号処理モジュール１００によるデコード処理を介してクロック信号が取得された場合、クロック信号は、基地局屋内装置５２０のＢＢＵに更に提供されてもよく、これにより、ＢＢＵは、クロック信号を利用してクロック較正及び制御を実行してもよい。
【００７１】
この実施形態では、衛星信号処理モジュールが基地局屋外装置内に設けられ、処理の後の、衛星アンテナによって受信された信号と、他のアンテナのうちの少なくとも１つによって受信された信号とが、基地局屋外装置から、１本のデータ線を介して基地局屋内装置に転送され、これにより、基地局屋外装置と基地局屋内装置との間のフィーダ配線が単純化され、同時に、避雷モジュールの数が減らされることも可能であり、製造コストが低減される、ということが上記からわかる。
【００７２】
実施形態５
この実施形態では、衛星信号処理モジュールが基地局屋外装置のＲＲＵ内に設けられた状況について、例として説明する。
【００７３】
図６−ａを参照すると、本発明の別の実施形態は無線基地局を提供し、無線基地局６００は、基地局屋外装置６１０と基地局屋内装置６２０とを含んでもよい。
【００７４】
基地局屋外装置６１０は、衛星無線周波数信号を受信するための衛星アンテナ６１１と、アクセス側無線周波数信号を受信するための、無線アクセスアンテナ６１２と、ＲＲＵ６１３と、衛星アンテナ６１１によって受信された衛星無線周波数信号に対してデコード処理を実行することによって衛星サービス信号を取得するように構成された、衛星信号処理モジュール１００とを含んでもよい。衛星信号処理モジュール１００は、ＲＲＵ６１３内に設けられてもよく、もちろん、ＲＲＵ６１３の外部に設けられてもよい。
【００７５】
基地局屋内装置６２０は、ＢＢＵ６２１を含んでもよい。
【００７６】
衛星アンテナ６１１によって受信された衛星無線周波数信号は、衛星信号処置モジュール１００に転送され、無線アクセスアンテナ６１２によって受信されたアクセス側無線周波数信号は、ＲＲＵ６１３に転送される。
【００７７】
ＲＲＵ６１３は、アクセス側無線周波数信号に対して無線周波数処理を実行して、アクセス側ベースバンド信号を取得し、衛星信号処理モジュール１００は、受信された衛星無線周波数信号をデコードすることによって、衛星サービス信号（クロック信号を含んでもよい）を取得する。ＲＲＵ６１３は、衛星サービス信号をアクセス側ベースバンド信号内に埋め込み、インタフェースフォーマット変換（例えば、ＣＰＲＩ、又はＯＢＳＡＩインタフェースフォーマット）を実行し、インタフェースフォーマット変換の後のアクセス側ベースバンド信号を、ＢＢＵ６２１に出力してもよい。ＢＢＵ６２１は、アクセス側ベースバンド信号内に埋め込まれた衛星サービス信号を抽出し、アクセス側ベースバンド信号に対してベースバンド処理を実行する。
【００７８】
衛星信号処理モジュール１００によって、衛星無線周波数信号をデコードすることを介して、クロック信号が取得された場合、ＢＢＵ６２１は、アクセス側ベースバンド信号内に埋め込まれたクロック信号を抽出し（ＲＲＵ６１３は、衛星信号処理モジュール１００によって、受信された衛星無線周波数信号をデコードすることを介して取得されたクロック信号を、アクセス側ベースバンド信号内に埋め込むため、ＲＲＵ６１３からのアクセス側ベースバンド信号から、ＢＢＵ６２１によって抽出されたクロック信号は、衛星信号処理モジュール１００によって、衛星無線周波数信号をデコードすることを介して取得されたクロック信号と同等であり）、クロック信号を利用してクロック較正及び制御を実行してもよい。
【００７９】
図６−ｂを参照すると、別の適用シナリオでは、基地局屋外装置６１０はアダプタ６１４を更に含んでもよく、これにより、衛星アンテナ６１１によって受信された信号と無線アクセスアンテナ６１２によって受信された信号とがアダプタ６１４によって結合され、結合された信号はＲＲＵ６１３に転送される。特定の処理手順については、第３の実施形態における関連する説明を参照されたい。
【００８０】
図６−ｃを参照すると、一つの適用シナリオでは、ＲＲＵ６１３は、無線周波数処理ユニット６１３１とインタフェースユニット６１３２とを含んでもよい。
【００８１】
例えば、衛星無線周波数信号はクロック信号を運び、基地局６００内での信号の流れ、及び各モジュールの動作モードは、以下の通りであってもよい。
【００８２】
衛星アンテナ６１１は、衛星無線周波数信号を受信し、衛星無線周波数信号を、フィーダを介して衛星信号処理モジュール１００に出力し、そして、無線アクセスアンテナ６１２は、アクセス側無線周波数信号を受信し、当該アクセス側無線周波数信号をＲＲＵ６１３に出力する。ＲＲＵ４２１の無線周波数処理ユニット６１３１は、アクセス側無線周波数信号を受信し、アクセス側無線周波数信号に対してアクセス側ベースバンド信号への周波数変換を実行し、アクセス側ベースバンド信号をインタフェースユニット６１３２に出力する。衛星信号処理モジュール１００は、受信された衛星無線周波数信号をデコードしてクロック信号を取得し、クロック信号をインタフェースユニット６１３２に出力する。インタフェースユニット６１３２は、クロック信号をアクセス側ベースバンド信号内に埋め込み、クロック信号が埋め込まれたアクセス側ベースバンド信号を、データ線６３０を介してＢＢＵ６２１に出力する。ＢＢＵ６２１は、アクセス側ベースバンド信号内に埋め込まれたクロック信号を抽出し（ＲＲＵ６１３のインタフェースユニット６１３２は、衛星信号処理モジュール１００によって、受信された衛星無線周波数信号をデコードすることを介して取得されたクロック信号を、アクセス側ベースバンド信号内に埋め込むため、インタフェースユニット６１３２からのアクセス側ベースバンド信号から、ＢＢＵ６２１によって抽出されたクロック信号は、衛星信号処理モジュール１００によって、衛星無線周波数信号をデコードすることを介して取得されたクロック信号と同等であり）、クロック信号を利用してクロック較正及び制御を実行し、アクセス側ベースバンド信号に対してベースバンド処理を実行する。
【００８３】
この実施形態では、衛星信号処理モジュールが、基地局屋内装置のＲＲＵ内に設けられ、処理の後の、衛星アンテナによって受信された信号と、他のアンテナのうちの少なくとも１つによって受信された信号とが、基地局屋外装置から、１本のデータ線を介して基地局屋内装置に転送され、これにより、基地局屋外装置と、基地局屋内装置との間のフィーダ配線が単純化され、同時に、避雷モジュールの数が減らされることも可能であり、製造コストが低減される、ということが上記からわかる。
【００８４】
実施形態６
この実施形態では、衛星信号処理モジュールが、基地局屋外装置のマイクロ波屋外統合装置内に設けられた状況を例として説明する。
【００８５】
図７−ａを参照すると、本発明の別の実施形態は無線基地局を提供し、無線基地局７００は、基地局屋外装置７１０と基地局屋内装置７２０とを含んでもよい。
【００８６】
基地局屋外装置７１０は、衛星アンテナ７１１と、無線アクセスアンテナ７１２と、マイクロ波伝送アンテナ７１３と、マイクロ波屋外統合装置７１４と、衛星信号処理モジュール１００とを含んでもよい。
【００８７】
基地局屋内装置７２０は、ＲＲＵ７２１とＢＢＵ７２２とを含んでもよい。
【００８８】
衛星信号処理モジュール１００は、マイクロ波屋外統合装置７１４内に設けられる。
【００８９】
無線アクセスアンテナ７１２は、フィーダを介してＲＲＵ７２１に接続され、ＲＲＵ７２１とＢＢＵ７２２とは、ＣＰＲＩ、又はＯＢＳＡＩインタフェースを介して接続される。ＲＲＵ７２１は、無線アクセスアンテナ７１２によって受信されたアクセス側無線周波数信号に対して無線周波数処理を実行して、アクセス側ベースバンド信号を取得し、アクセス側ベースバンド信号を、ベースバンド処理のためにＢＢＵ７２２に出力する。ＢＢＵ７２２は、また、送信されるアクセス側ベースバンド信号を、ＲＲＵ７２１に出力してもよく、ＲＲＵ７２１は、送信されるアクセス側ベースバンド信号に対して無線周波数処理を実行して、アクセス側無線周波数信号取得し、当該アクセス側無線周波数信号を無線アクセスアンテナ７１２を介して送信する。
【００９０】
衛星アンテナ７１１は衛星信号処理モジュール１００に接続され、衛星信号処理モジュール１００は、衛星アンテナ７１１によって受信された衛星無線周波数信号をデコードすることによって、衛星サービス信号（クロック信号を含んでもよい）を取得する。マイクロ波伝送アンテナ７１３は、マイクロ波屋外統合装置７１４に接続され、マイクロ波屋外統合装置７１４は、マイクロ波伝送アンテナ７１３によって受信されたマイクロ波無線周波数信号をデコードして、マイクロ波サービス信号を取得する。マイクロ波屋外統合装置７１４は、衛星サービス信号をマイクロ波サービス信号内に埋め込み、信号フォーマット変換（例えば、イーサネット（登録商標）フォーマット、ＰＤＨフォーマット、又はＳＤＨフォーマット）を実行し、フォーマット変換の後のサービス信号を、データ線７３０を介して、処理のためにＢＢＵ７２２に出力する。
【００９１】
衛星信号処理モジュール１００によって、衛星無線周波数信号をデコードすることを介して、クロック信号が取得された場合、マイクロ波屋外統合装置７１４は、クロック信号を利用してマイクロ波サービス信号のクロックを較正してもよく、そして、ＢＢＵ７２２は、クロック較正の後のマイクロ波サービス信号からクロック信号を抽出し（マイクロ波屋外統合装置７１４は、衛星信号処理モジュール１００によって、衛星無線周波数信号をデコードすることを介して取得されたクロック信号を利用して、マイクロ波サービス信号に対してクロック較正を実行するため、クロック較正の後のマイクロ波サービス信号から、ＢＢＵ７２２によって抽出されたクロック信号は、衛星信号処理モジュール１００によって、衛星無線周波数信号をデコードすることを介して取得されたクロック信号と同等である、ということが理解され得る）、クロック信号を利用してクロック較正及び制御を実行してもよい。
【００９２】
図７−ｂを参照すると、一つの適用シナリオでは、マイクロ波屋外統合装置７１４は、マイクロ波中間周波数モジュール７１４１と、マイクロ波ＢＢＵ７１４２と、サービスインタフェースモジュール７１４３と、クロックモジュール７１４４と、マイクロ波ＲＲＵ７１４５とを含んでもよい。
【００９３】
例えば、衛星無線周波数信号はクロック信号を運び、基地局７００内での信号の流れ、及び各モジュールの動作モードは、以下の通りであってもよい。
【００９４】
衛星アンテナ７１１は、衛星無線周波数信号を受信し、衛星無線周波数信号を、フィーダを介して衛星信号処理モジュール１００に出力する。衛星信号処理モジュール１００は、衛星無線周波数信号をデコードしてクロック信号を取得し、クロック信号をクロックモジュール７１４４に提供する。クロックモジュール７１４４は、クロック信号を利用してクロックを較正し、マイクロ波屋外統合装置７１４の他のモジュールに対してクロック制御を実行する。マイクロ波伝送アンテナ７１３は、マイクロ波無線周波数信号を受信し、マイクロ波無線周波数信号を、フィーダを介してマイクロ波屋外統合装置７１４に出力し、マイクロ波屋外統合装置７１４のマイクロ波ＲＲＵ７１４５は、マイクロ波無線周波数信号に対して周波数変換処理を実行して、マイクロ波中間周波数信号を取得し、マイクロ波ＲＲＵ７１４５は、当該マイクロ波中間周波数信号をマイクロ波中間周波数モジュール７１４１に出力する。マイクロ波中間周波数モジュール７１４１は、受信されたマイクロ波中間周波数信号をマイクロ波ベースバンド信号に更に変換し、マイクロ波ベースバンド信号をマイクロ波ＢＢＵ７１４２に出力する。クロックモジュール７１４４のクロック制御の下で、マイクロ波ＢＢＵ７１４２は、マイクロ波ベースバンド信号に対してベースバンドサービス処理を実行して、対応するマイクロ波サービス信号を取得する。サービスインタフェースユニット７１４３は、マイクロ波ＢＢＵ７１４２による処理を介して取得されたマイクロ波サービス信号に対して対応するフォーマット変換を実行し、フォーマット変換の後のマイクロ波サービス信号をＢＢＵ７２２に出力する。クロックモジュール７１４４は、衛星信号処理モジュール１００によって、衛星無線周波数信号をデコードすることを介して取得されたクロック信号を利用して、クロックを較正し、マイクロ波中間周波数モジュール７１４１と、マイクロ波ＢＢＵ７１４２と、サービスインタフェースモジュール７１４３とは、全て、クロックモジュール７１４４のクロック制御の下でマイクロ波信号を処理するため、ＢＢＵ７２２によって受信されたマイクロ波サービス信号のクロックは衛星のクロックと同期している、ということが理解され得る。ＢＢＵ７２２は、マイクロ波屋外統合装置７１４からのマイクロ波サービス信号から、クロック信号（衛星信号処理モジュール１００によって、衛星無線周波数信号をデコードすることを介して取得されたクロック信号と同等である）を抽出し、クロック信号を利用してクロック較正及び制御を実行してもよい。
【００９５】
この実施形態では、衛星信号処理モジュールが基地局屋外装置のマイクロ波屋外統合装置内に設けられ、処理の後の、衛星アンテナによって受信された信号と、他のアンテナのうちの少なくとも１つによって受信された信号とが、基地局屋外装置から、１本のデータ線を介して基地局屋内装置に転送され、これにより、基地局屋外装置と基地局屋内装置との間のフィーダ配線が単純化され、同時に、避雷モジュールの数が減らされることも可能であり、製造コストが低減される、ということが上記からわかる。
【００９６】
上記の実施形態において、実施形態の説明は、様々な重点を有し、１つの実施形態において詳細に説明されていない部分については、別の実施形態の関連する説明を参照されたい。
【００９７】
本発明の実施形態において提供される無線基地局について、上記で詳細に説明した。本発明の原理及び実施について、特定の例を介して本明細書で説明した。上記の実施形態に関する説明は、本発明の方法及び核となる概念の理解を容易にするために提供されたにすぎない。当業者は、本発明の概念による、特定の実施及び適用範囲に関して、本発明に対して変形及び修正を行うことが可能である。結論として、本明細書は、本発明を限定するものと解釈されるべきではない。
【図１】
2013501439.tif 000003
【図２】
2013501439.tif 000004
【図３−ａ】
2013501439.tif 000005
【図３−ｂ】
2013501439.tif 000006
【図４−ａ】
2013501439.tif 000007
【図４−ｂ】
2013501439.tif 000008
【図５−ａ】
2013501439.tif 000009
【図５−ｂ】
2013501439.tif 000010
【図５−ｃ】
2013501439.tif 000011
【図６−ａ】
2013501439.tif 000012
【図６−ｂ】
2013501439.tif 000013
【図６−ｃ】
2013501439.tif 000014
【図７−ａ】
2013501439.tif 000015
【図７−ｂ】
2013501439.tif 000016
【手続補正書】
【提出日】平成24年2月3日(2012.2.3)
【手続補正１】
【補正対象書類名】特許請求の範囲
【補正対象項目名】全文
【補正方法】変更
【補正の内容】
【特許請求の範囲】
【請求項１】
基地局屋内装置と、基地局屋外装置と
を備え、
前記基地局屋外装置は、アダプタと、地上サービスアンテナと、衛星アンテナとを備え、前記地上サービスアンテナは、マイクロ波伝送アンテナ、又は無線アクセスアンテナを備え、
前記基地局屋内装置は、前記衛星アンテナによって受信された衛星無線周波数信号に対してデコード処理を実行することによって、衛星サービス信号を取得するように構成された、衛星信号処理モジュールを備え、
前記衛星アンテナと前記地上サービスアンテナとは前記アダプタに接続され、前記アダプタは、前記衛星アンテナによって受信された信号と前記地上サービスアンテナによって受信された信号とを結合し、結合された信号を、第１のデータ線を介して前記基地局屋内装置に転送するように構成される、
無線基地局。
【請求項２】
前記地上サービスアンテナが無線アクセスアンテナである場合、前記衛星信号処理モジュールは、前記基地局屋内装置の無線周波数ユニット（ＲＲＵ）内に設けられる、
請求項１に記載の無線基地局。
【請求項３】
前記地上サービスアンテナがマイクロ波伝送アンテナである場合、前記衛星信号処理モジュールは、前記基地局屋内装置のマイクロ波屋内ユニット（ＩＤＵ）内に設けられる、
請求項１に記載の無線基地局。
【請求項４】
前記衛星アンテナによって受信される前記衛星無線周波数信号は、ガリレオ衛星、グローバルポジショニングシステム（ＧＰＳ）衛星、北斗（ＢｅｉＤｏｕ）衛星、及びグローバルナビゲーション衛星システム（ＧＬＯＮＡＳＳ）衛星のうちの１つ以上の衛星からのものであり、
前記衛星信号処理モジュールによるデコード処理を介して取得される、前記衛星サービス信号は、クロック信号、及び／又は、位置信号を含む、
請求項１〜３のいずれか一項に記載の無線基地局。
【請求項５】
前記第１のデータ線を介して前記結合された信号を受信した後、前記基地局屋内装置は、前記結合された信号を分離し、分離することによって取得された衛星無線周波数信号と地上サービスアンテナ信号とを、対応する処理回路を介して処理する、
請求項１〜４のいずれか一項に記載の無線基地局。
【請求項６】
前記地上サービスアンテナと、前記衛星アンテナとは、前記第１のデータ線を介して避雷回路に接続される、
請求項１〜５のいずれか一項に記載の無線基地局。
【請求項７】
基地局屋内装置と、基地局屋外装置と
を備え、
前記基地局屋外装置は、地上サービスアンテナと、衛星アンテナと、前記衛星アンテナによって受信された衛星無線周波数信号に対してデコード処理を実行することによって衛星サービス信号を取得するように構成された衛星信号処理モジュールと、前記地上サービスアンテナによって受信された変調信号を復調するように構成された第１の地上サービス処理モジュールとを備え、前記地上サービスアンテナは、マイクロ波伝送アンテナ、又は無線アクセスアンテナであり、
前記衛星サービス信号は、第２のデータ線を介して前記基地局屋内装置に転送され、及び、前記地上サービスアンテナによって受信され、かつ、前記第１の地上サービス処理モジュールによって復調された前記変調信号は、前記第２のデータ線を介して前記基地局屋内装置に転送される、
無線基地局。
【請求項８】
前記地上サービスアンテナが無線アクセスアンテナである場合、前記第１の地上サービス処理モジュールは、無線周波数ユニット（ＲＲＵ）であり、前記衛星信号処理モジュールは前記ＲＲＵ内に設けられる、
請求項７に記載の無線基地局。
【請求項９】
前記地上サービスアンテナがマイクロ波伝送アンテナである場合、前記第１の地上サービス処理モジュールはマイクロ波屋外統合装置であり、前記衛星信号処理モジュールは前記マイクロ波屋外統合装置内に設けられる、
請求項７に記載の無線基地局。
【請求項１０】
前記衛星アンテナは、前記第１の地上サービス処理モジュールの避雷回路に接続される、
請求項７〜９のいずれか一項に記載の無線基地局。
【請求項１１】
基地局屋外装置内に配置されたアダプタによって、衛星アンテナによって受信された信号と地上サービスアンテナによって受信された信号とを結合し、前記地上サービスアンテナは、マイクロ波伝送アンテナ、又は無線アクセスアンテナを含み、前記マイクロ波伝送アンテナ又は前記無線アクセスアンテナは前記基地局屋外装置内に配置され、
前記アダプタによって結合された信号を、第１のデータ線を介して基地局屋内装置に転送し、
前記基地局屋内装置内に配置された衛星信号処理モジュールによって、衛星アンテナによって受信された衛星無線周波数信号に対してデコード処理を実行することによって、衛星サービス信号を取得すること
を含む、無線基地局の信号を受信する方法。
【請求項１２】
前記基地局屋内装置によって、前記第１のデータ線を介して前記結合された信号を受信した後、前記結合された信号を分離し、分離によって取得された前記衛星無線周波数信号と地上サービスアンテナ信号とを、前記衛星無線周波数信号と前記地上サービスアンテナ信号とを処理する回路を介して処理すること
を更に含む、請求項１１に記載の方法。
【請求項１３】
基地局屋外装置内に配置された衛星信号処理モジュールによって、前記基地局屋外装置内に配置された衛星アンテナによって受信された衛星無線周波数信号をデコードすることによって、衛星サービス信号を取得し、
前記衛星サービス信号を、第２のデータ線を介して基地局屋内装置に転送し、
前記基地局屋外装置内に配置された第１の地上サービス処理モジュールによって、前記基地局屋外装置内に配置された地上サービスアンテナによって受信された変調信号に対して復調処理を実行し、復調処理後の信号を、前記第２のデータ線を介して前記基地局屋内装置に転送すること
を含む、無線基地局の信号を受信する方法。
【手続補正２】
【補正対象書類名】明細書
【補正対象項目名】０００９
【補正方法】変更
【補正の内容】
【０００９】
無線基地局の信号を受信する方法は、
基地局屋外装置内に配置されたアダプタによって、衛星アンテナによって受信された信号と、地上サービスアンテナによって受信された信号とを結合し、ここで、地上サービスアンテナは、マイクロ波伝送アンテナ、又は無線アクセスアンテナを含み、マイクロ波伝送アンテナ、又は無線アクセスアンテナは、基地局屋外装置内に配置され、
アダプタによって、結合された信号を、第１のデータ線を介して基地局屋内装置に転送し、
基地局屋内装置内に配置された衛星信号処理モジュールによって、衛星アンテナによって受信された衛星無線周波数信号に対して、デコード処理を実行することによって、衛星サービス信号を取得することを含む。
【手続補正３】
【補正対象書類名】明細書
【補正対象項目名】００２２
【補正方法】変更
【補正の内容】
【００２２】
一つの適用シナリオでは、衛星アンテナ２１２及び地上サービスアンテナ２１１は、アダプタ２１３に接続されてもよく、アダプタ２１３は、第１のデータ線２３０を介して基地局屋内装置２２０に接続される。アダプタ２１３は、衛星アンテナ２１２によって受信された衛星無線周波数信号と、地上サービスアンテナ２１１によって受信された変調信号とを、１つの信号経路内に結合し（アダプタは、信号に対して、必要なインピーダンスマッチング処理を実行してもよく）、結合された信号を、第１のデータ線２３０を介して基地局屋内装置２２０に転送してもよく、従って、２つのアンテナからの信号は、基地局屋外装置２１０から、１本のデータ線を介して基地局屋内装置２２０に転送され、基地局屋外装置と基地局屋内装置との間のフィーダ配線が単純化され得る。
【手続補正４】
【補正対象書類名】明細書
【補正対象項目名】００２４
【補正方法】変更
【補正の内容】
【００２４】
結合された信号を受信した後、基地局屋内装置２２０は、信号を分離し（ｄｅｃｏｕｐｌｅｓ）、衛星アンテナによって受信された信号と、地上サービスアンテナによって受信された信号とを、対応する処理回路を介して処理する（例えば、衛星アンテナによって受信された信号を、衛星信号処理モジュールを介して処理し、地上サービスアンテナによって受信された信号を、マイクロ波又は無線処理回路を介して処理する）。
【手続補正５】
【補正対象書類名】明細書
【補正対象項目名】００９４
【補正方法】変更
【補正の内容】
【００９４】
衛星アンテナ７１１は、衛星無線周波数信号を受信し、衛星無線周波数信号を、フィーダを介して衛星信号処理モジュール１００に出力する。衛星信号処理モジュール１００は、衛星無線周波数信号をデコードしてクロック信号を取得し、クロック信号をクロックモジュール７１４４に提供する。クロックモジュール７１４４は、クロック信号を利用してクロックを較正し、マイクロ波屋外統合装置７１４の他のモジュールに対してクロック制御を実行する。マイクロ波伝送アンテナ７１３は、マイクロ波無線周波数信号を受信し、マイクロ波無線周波数信号を、フィーダを介してマイクロ波屋外統合装置７１４に出力し、マイクロ波屋外統合装置７１４のマイクロ波ＲＲＵ７１４５は、マイクロ波無線周波数信号に対して周波数変換処理を実行して、マイクロ波中間周波数信号を取得し、マイクロ波ＲＲＵ７１４５は、当該マイクロ波中間周波数信号をマイクロ波中間周波数モジュール７１４１に出力する。マイクロ波中間周波数モジュール７１４１は、受信されたマイクロ波中間周波数信号をマイクロ波ベースバンド信号に更に変換し、マイクロ波ベースバンド信号をマイクロ波ＢＢＵ７１４２に出力する。クロックモジュール７１４４のクロック制御の下で、マイクロ波ＢＢＵ７１４２は、マイクロ波ベースバンド信号に対してベースバンドサービス処理を実行して、対応するマイクロ波サービス信号を取得する。サービスインタフェースモジュール７１４３は、マイクロ波ＢＢＵ７１４２による処理を介して取得されたマイクロ波サービス信号に対して対応するフォーマット変換を実行し、フォーマット変換の後のマイクロ波サービス信号をＢＢＵ７２２に出力する。クロックモジュール７１４４は、衛星信号処理モジュール１００によって、衛星無線周波数信号をデコードすることを介して取得されたクロック信号を利用して、クロックを較正し、マイクロ波中間周波数モジュール７１４１と、マイクロ波ＢＢＵ７１４２と、サービスインタフェースモジュール７１４３とは、全て、クロックモジュール７１４４のクロック制御の下でマイクロ波信号を処理するため、ＢＢＵ７２２によって受信されたマイクロ波サービス信号のクロックは衛星のクロックと同期している、ということが理解され得る。ＢＢＵ７２２は、マイクロ波屋外統合装置７１４からのマイクロ波サービス信号から、クロック信号（衛星信号処理モジュール１００によって、衛星無線周波数信号をデコードすることを介して取得されたクロック信号と同等である）を抽出し、クロック信号を利用してクロック較正及び制御を実行してもよい。
【国際調査報告】
2013501439.tif 000017
2013501439.tif 000018
2013501439.tif 000019
2013501439.tif 000020